(57)【要約】【課題】全てのユーザが全ての３Ｄコンテンツを快適に観ることのできる３Ｄコンテンツの３Ｄ表示時間の設定が可能な表示装置を提供する。【解決手段】３Ｄ表示レベル情報格納部２ｂに格納された、３Ｄコンテンツを表示するのに必要な３Ｄコンテンツ情報１０ａに付帯する付帯情報から３Ｄ表示に必要な３Ｄ表示情報である３Ｄ表示レベル情報１０ｂと、３Ｄ表示視聴レベル情報格納部３に格納された、３Ｄコンテンツを３Ｄ表示する際にユーザが感じる生理的違和感の程度を示す３Ｄ表示視聴レベル情報９とに基づいて、上記ユーザ用に表示対象となる３Ｄコンテンツの３Ｄ表示時間を設定する制御部８を備える。【選択図】  図１
2004248106.tif 000002
【特許請求の範囲】
【請求項１】
３Ｄコンテンツを３Ｄ表示可能な表示装置において、
上記３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、上記観察者用に該３Ｄコンテンツの３Ｄ表示時間を設定する表示時間設定手段が設けられていることを特徴とする表示装置。
【請求項２】
観察者が３Ｄコンテンツの３Ｄ表示を観察している３Ｄ観察時間を計測する３Ｄ観察時間計測手段と、
計測された３Ｄ観察時間に基づいて、上記３Ｄ表示観察情報を更新する情報更新手段とが設けられ、
上記表示時間設定手段は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定することを特徴とする請求項１に記載の表示装置。
【請求項３】
上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、
上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積を３Ｄコンテンツの３Ｄ表示時間として設定することを特徴とする請求項２に記載の表示装置。
【請求項４】
上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、
上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積が、上記３Ｄ表示制限時間を越えている場合、該３Ｄ表示制限時間を３Ｄコンテンツの３Ｄ表示時間として設定することを特徴とする請求項２に記載の表示装置。
【請求項５】
上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、
上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積を３Ｄコンテンツの３Ｄ表示時間とし、上記３Ｄ観察時間が上記３Ｄ表示時間を越えた場合、上記３Ｄ表示制限時間を３Ｄ表示時間として設定することを特徴とする請求項２に記載の表示装置。
【請求項６】
３Ｄコンテンツを３Ｄ表示する表示装置において、
上記３Ｄコンテンツを表示するのに必要な表示情報に付帯する付帯情報から３Ｄ表示に必要な３Ｄ表示情報を抽出する３Ｄ表示情報抽出手段と、
上記３Ｄコンテンツを観察する観察者情報に付帯する付帯情報から３Ｄコンテンツの観察に必要な３Ｄ表示観察情報を抽出する３Ｄ表示観察情報抽出手段と、上記各手段によって抽出された３Ｄ表示情報と３Ｄ表示観察情報とに基づいて、表示対象となる３Ｄコンテンツの３Ｄ表示時間を設定する３Ｄ表示時間設定手段とを備えていることを特徴とする表示装置。
【請求項７】
観察者が３Ｄコンテンツの３Ｄ表示を観察している３Ｄ観察時間を計測する３Ｄ観察時間計測手段と、
計測された３Ｄ観察時間に基づいて、上記３Ｄ表示観察情報抽出手段によって抽出された３Ｄ表示観察情報を更新する情報更新手段とが設けられ、
上記表示時間設定手段は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定することを特徴とする請求項６に記載の表示装置。
【請求項８】
３Ｄコンテンツの３Ｄ表示時間を設定する３Ｄ表示時間設定方法において、
上記３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、該３Ｄコンテンツの３Ｄ表示時間を設定することを特徴とする３Ｄ表示時間設定方法。
【請求項９】
コンピュータに、
３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、該３Ｄコンテンツの３Ｄ表示時間を設定する手順を実行させることを特徴とする３Ｄ表示時間設定プログラム。
【請求項１０】
請求項９に記載の３Ｄ表示時間設定プログラムを記録したコンピュータ読み取り可能な記録媒体。
【発明の詳細な説明】
【０００１】
【発明の属する技術分野】
本発明は、３Ｄコンテンツを３Ｄ表示可能な表示装置に関し、特に、３Ｄコンテンツを３Ｄ表示する時間を設定する３Ｄ表示時間設定方法、３Ｄ表示時間設定プログラム及びこれを記録したコンピュータ読取可能な記録媒体に関するものである。
【０００２】
【従来の技術】
一般に、液晶表示装置等の表示装置に３Ｄ表示された３Ｄコンテンツを観察する場合、観察者（ユーザ）は、長時間の観察によって生理的違和感（３Ｄ酔い）を憶える虞がある。
【０００３】
そこで、例えば特許文献１には、３Ｄコンテンツの３Ｄ表示の時間をユーザの所望する時間に設定する手段を備えた３Ｄ表示制御装置が開示されている。この装置によれば、ユーザは、３Ｄコンテンツの３Ｄ表示時間を、生理的違和感を憶えない程度に設定することができるので、３Ｄコンテンツの長時間の観察によって生じる生理的違和感を憶えない程度に緩和することができる。
【０００４】
ところが、３Ｄ表示された３Ｄコンテンツにおいて、輝度、コントラスト、オブジェクトの飛び出し量等の３Ｄ表示特性は、３Ｄコンテンツ毎に異なるので、ユーザが感じる生理的違和感の度合いも３Ｄコンテンツ毎に異なる。
【０００５】
従って、特許文献１のように、３Ｄコンテンツの３Ｄ表示時間をユーザが単に設定するだけでは、３Ｄ表示時間の設定時間内であってもユーザは生理的違和感を憶える場合がある。
【０００６】
これを解消するために、ユーザが３Ｄコンテンツ毎に３Ｄ表示特性を考慮して３Ｄ表示時間を設定することが考えられるが、操作が非常に煩雑になり、ユーザにかかる負担が非常に大きくなるという問題が生じる。
【０００７】
そこで、特許文献２には、立体遊技（３Ｄコンテンツ）の許容遊戯時間を設定し、該３Ｄコンテンツでの遊技時間が設定した許容遊技時間を超えた時点で自動的に３Ｄ表示から２Ｄ表示に切り替える手段を有する立体表示遊技機が開示されている。この立体表示遊技機では、許容遊技時間が３Ｄコンテンツ毎に表示特性等を考慮して予め設定されているので、特許文献１のように、ユーザが３Ｄコンテンツ毎に３Ｄ表示時間を設定する必要がなくなり、この結果、ユーザにかかる負担を軽減することができる。
【０００８】
【特許文献１】
特開平１０−７４２６７号公報（１９９８年３月１７日公開）
【０００９】
【特許文献２】
特開平０７−１６３５１号公報（１９９５年１月２０日公開）
【００１０】
【発明が解決しようとする課題】
ところで、３Ｄ表示された３Ｄコンテンツの長時間の観察によって生じる生理的違和感は、観察する３Ｄコンテンツが同じであるとしても、その３Ｄコンテンツを観察するユーザによって異なる。つまり、３Ｄ表示された同じ３Ｄコンテンツを観察した場合、ユーザ毎に生理的違和感を憶えるまでの時間が異なる。
【００１１】
しかしながら、特許文献２における立体表示遊技機では、３Ｄコンテンツ毎に３Ｄ表示での許容遊技時間が設定されているため、使用するユーザによらず、同じ許容遊技時間経過後に強制的に２Ｄ表示に変更される。このように、３Ｄコンテンツ毎に３Ｄ表示時間をその内容によって設定するだけでは、全てのユーザにとって快適に観察できるとは限らない。例えば、同じ３Ｄコンテンツを同じ３Ｄ表示時間で表示した場合、３Ｄ表示された３Ｄコンテンツの観察によって生理的違和感を憶えるまでの時間の長いユーザ（３Ｄ酔いしにくいユーザ）は、非常に物足りなく感じ、逆にこの生理的違和感を憶えるまでの時間の短いユーザ（３Ｄ酔いし易いユーザ）は、非常に苦痛を感じることになる。
【００１２】
従って、特許文献２では、全てのユーザが３Ｄコンテンツを快適に観ることができないという問題が生じる。
【００１３】
本発明は、上記の問題点に鑑みなされたものであり、その目的は、全てのユーザが全ての３Ｄコンテンツを快適に観ることのできる３Ｄコンテンツの３Ｄ表示時間の設定が可能な表示装置、３Ｄ表示時間設定方法、３Ｄ表示時間設定プログラム及びこれを記録したコンピュータ記録可能な記録媒体を提供することにある。
【００１４】
【課題を解決するための手段】
本発明の表示装置は、上記の課題を解決するために、３Ｄコンテンツを３Ｄ表示可能な表示装置において、上記３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、上記観察者用に該３Ｄコンテンツの３Ｄ表示時間を設定する表示時間設定手段が設けられていることを特徴としている。
【００１５】
上記の構成によれば、上記表示時間設定手段によって、３Ｄコンテンツを３Ｄ表示する際の表示時間に関する３Ｄ表示情報と、３Ｄコンテンツを３Ｄ表示する際に観察者が感じる生理的違和感の程度を示す３Ｄ表示観察情報とに基づいて、上記観察者用に３Ｄ表示の表示対象となる３Ｄコンテンツの３Ｄ表示時間が設定されるので、観察者の生理的違和感を考慮して３Ｄコンテンツを３Ｄ表示することができる。
【００１６】
これにより、同じ３Ｄコンテンツであっても、観察者毎に生理的違和感を憶えない程度に３Ｄ表示時間を設定することが可能となるので、３Ｄ表示を観察する際に生理的違和感を憶えるまでの時間が異なる全てのユーザが３Ｄコンテンツを快適に観ることができる。
【００１７】
ところで、同じ観察者であっても、３Ｄコンテンツの３Ｄ表示を長時間観察していれば疲れて来るので、最初に生理的違和感を憶えないように設定された３Ｄ表示時間であっても、生理的違和感を憶える虞がある。
【００１８】
そこで、観察者が３Ｄコンテンツの３Ｄ表示を観察している３Ｄ観察時間を計測する３Ｄ観察時間計測手段と、計測された３Ｄ観察時間に基づいて、上記３Ｄ表示観察情報を更新する情報更新手段とが設けられ、上記表示時間設定手段は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定するようにしてもよい。
【００１９】
この場合、観察者が実際に３Ｄコンテンツの３Ｄ表示を観察している時間によって、３Ｄ表示観察情報が更新されるので、観察者の生理的違和感を憶えるまでの時間が変化しても、観察者は生理的違和感を憶えないようになる。
【００２０】
従って、３Ｄコンテンツの３Ｄ表示を観察する際に、時間の経過と共に生理的違和感を憶えるまでの時間が短くなっても、この生理的違和感を憶えるまでの時間が短縮された分を考慮して３Ｄ表示時間が設定されるようになるので、観察者は、常に、３Ｄコンテンツを快適に観ることができる。
【００２１】
上記の３Ｄ表示時間の設定は、具体的には以下のように行なわれる。
【００２２】
すなわち、上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積を３Ｄコンテンツの３Ｄ表示時間として設定するようにしてもよい。
【００２３】
また、上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積が、上記制限時間を越えている場合、上記３Ｄ表示制限時間を３Ｄコンテンツの３Ｄ表示時間として設定するようにしてもよい。
【００２４】
さらに、上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積を３Ｄコンテンツの３Ｄ表示時間とし、上記３Ｄ観察時間が上記３Ｄ表示時間を越えた場合、上記３Ｄ表示制限時間を３Ｄ表示時間として設定するようにしてもよい。
【００２５】
また、本発明の表示装置は、上記の課題を解決するために、３Ｄコンテンツを３Ｄ表示する表示装置において、上記３Ｄコンテンツを表示するのに必要な表示情報に付帯する付帯情報から３Ｄ表示に必要な３Ｄ表示情報を抽出する３Ｄ表示情報抽出手段と、上記３Ｄコンテンツを観察する観察者情報に付帯する付帯情報から３Ｄコンテンツの観察に必要な３Ｄ表示観察情報を抽出する３Ｄ表示観察情報抽出手段と、上記各手段によって抽出された３Ｄ表示情報と３Ｄ表示観察情報とに基づいて、表示対象となる３Ｄコンテンツの３Ｄ表示時間を設定する３Ｄ表示時間設定手段とを備えていることを特徴としている。
【００２６】
上記の構成によれば、上記表示時間設定手段によって、上記３Ｄ表示情報抽出手段により抽出された３Ｄ表示情報と、上記３Ｄ表示観察情報抽出手段により抽出された３Ｄ表示観察情報とに基づいて、３Ｄ表示の表示対象となる３Ｄコンテンツの３Ｄ表示時間が設定されるので、観察者の生理的違和感を考慮して３Ｄコンテンツを３Ｄ表示することができる。
【００２７】
これにより、同じ３Ｄコンテンツであっても、観察者毎に生理的違和感を憶えない程度に３Ｄ表示時間を設定することが可能となるので、３Ｄ表示を観察する際に生理的違和感を憶えるまでの時間が異なる全てのユーザが３Ｄコンテンツを快適に観ることができる。
【００２８】
さらに、観察者が３Ｄコンテンツの３Ｄ表示を観察している３Ｄ観察時間を計測する３Ｄ観察時間計測手段と、計測された３Ｄ観察時間に基づいて、上記３Ｄ表示観察情報抽出手段によって抽出された３Ｄ表示観察情報を更新する情報更新手段とを有し、上記表示時間設定手段は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定するようにしてもよい。
【００２９】
この場合、観察者が実際に３Ｄコンテンツの３Ｄ表示を観察している時間によって、３Ｄ表示観察情報が更新されるので、観察者の生理的違和感を憶えるまでの時間が変化しても、観察者は生理的違和感を憶えないようになる。
【００３０】
従って、３Ｄコンテンツの３Ｄ表示を観察する際に、時間の経過と共に生理的違和感を憶えるまでの時間が短くなっても、この生理的違和感を憶えるまでの時間が短縮された分を考慮して３Ｄ表示時間が設定されるようになるので、観察者は、常に、３Ｄコンテンツを快適に観ることができる。
【００３１】
本発明の３Ｄ表示時間設定方法は、上記の課題を解決するために、３Ｄコンテンツの３Ｄ表示時間を設定する３Ｄ表示時間設定方法において、上記３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、該３Ｄコンテンツの３Ｄ表示時間を設定することを特徴としている。
【００３２】
また、コンピュータに、３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、該３Ｄコンテンツの３Ｄ表示時間を設定する手順を実行させるプログラムとしてもよい。
【００３３】
これにより、上記手順の３Ｄ表示時間設定プログラムをコンピュータによって実行させれば、特定の表示装置ではなく、不特定の３Ｄ表示可能な表示装置に対しても３Ｄ表示時間を設定させることが可能となる。
【００３４】
しかも、上記の３Ｄ表示時間設定プログラムをコンピュータ読み取り可能な記録媒体に記録すれば、表示装置毎に３Ｄ表示時間設定プログラムを記憶しておく必要はなくなるので、表示装置は３Ｄ表示時間設定プログラムを実行できる程度に簡素化することができる。
【００３５】
この結果、３Ｄ表示時間設定プログラムの汎用性を高めることができる。
【００３６】
【発明の実施の形態】
本発明の一実施の形態について説明すれば、以下の通りである。なお、本実施の形態では、本発明の表示装置として、３Ｄコンテンツを３Ｄ表示可能な携帯情報端末（ＰＤＡ）を例に説明する。従って、携帯情報端末に表示される「３Ｄコンテンツを観察する」を、本実施の形態では、「３Ｄコンテンツを視聴する」として説明する。このため、請求項中に記載の観察比は、本実施の形態中では視聴比として記載している。
【００３７】
本実施の形態に係る携帯情報端末は、図１に示すように、ネットワークを介して配信された３次元画像表示情報１０を受信すると共に、ユーザからの３Ｄ表示視聴レベル情報（３Ｄ表示観察情報）９とを受信する受信部１と、受信した３次元画像情報を格納する画像情報格納部２と、受信した３Ｄ表示視聴レベル情報を格納する３Ｄ表示視聴レベル情報格納部３と、３Ｄコンテンツを表示する表示手段としての出力部４と、３Ｄ表示の続行及び中止等のユーザからの指示を受け付ける入力手段としての入力部５と、出力部４で３Ｄ表示した３Ｄコンテンツをユーザが視聴した時間を計測する３Ｄ観察時間計測手段としての３Ｄ視聴時間計測部６と、３Ｄ表示視聴レベル情報格納部３に格納された３Ｄ表示視聴レベル情報の書き換えを行う情報更新手段としてのデータ書き換え部７と、これらの制御を行う制御手段としての制御部８とからなる。
【００３８】
なお、上記の３次元画像表示情報１０は、必ずしもネットワークを介して受信する必要はなく、例えばコンピュータ読取可能な記録媒体に記録して、携帯情報端末によみ込ませるようにしてもよい。この場合、受信部が記録媒体に記録された情報を読み出す機能を有するようにすればよい。
【００３９】
上記３次元画像表示情報１０は、３Ｄコンテンツ情報１０ａと、この３Ｄコンテンツ情報に付帯する付帯情報である３Ｄ表示レベル情報１０ｂとで構成されている。このため、上記画像情報格納部２は、３Ｄコンテンツ情報１０ａを格納する３Ｄコンテンツ格納部２ａと、３Ｄ表示レベル情報１０ｂを格納する３Ｄ表示レベル情報格納部２ｂとを有している。この３次元画像表示情報１０からの３Ｄコンテンツ情報１０ａと３Ｄ表示レベル情報１０ｂとの分離は、受信部１で行なわれる。
【００４０】
上記画像情報格納部２に格納されている３Ｄ表示レベル情報としては、例えば、図２に示すように、当該３Ｄコンテンツを３Ｄで表示する際の制限時間を示す３Ｄ表示制限時間情報２１と、当該３Ｄコンテンツを３Ｄで表示する際の推奨する表示時間を示す３Ｄ表示推奨時間情報２２とがある。この例では、当該３Ｄコンテンツの３Ｄ表示での視聴は６００秒間可能であるが、４８０秒間が望ましいということを表している。
【００４１】
また、上記３Ｄ表示視聴レベル情報格納部３に格納されている３Ｄ表示視聴レベル情報としては、例えば図３に示すように、当該３Ｄコンテンツを実際に３Ｄ表示で視聴した時間を示す３Ｄ視聴時間情報３１と、３Ｄコンテンツの「３Ｄ表示推奨時間」に対する３Ｄ視聴時間の割合を示す３Ｄ視聴比（観察比）情報３２とがある。この例では、例えば、「３Ｄ表示推奨時間」が５００秒である３ＤコンテンツＸをユーザＡが４００秒間３Ｄ表示で視聴した場合、３ＤコンテンツＸの「３Ｄ表示推奨時間」の５００秒に対するユーザＡの３Ｄ視聴時間４００秒の割合、すなわち０．８がユーザＡの「３Ｄ視聴比」となる。
【００４２】
本実施の形態では、上述のような３Ｄ表示レベル情報１０ｂと３Ｄ表示視聴レベル情報９とを用いて、ユーザにとって最適な３Ｄ表示時間を設定する。
【００４３】
ここで、ユーザにとって最適な３Ｄ表示時間の設定を行なうための処理の流れについて、図４に示すフローチャートを参照しながら以下に説明する。この処理は、制御部８によって表示時間設定プログラムを実行することで行なわれるものとする。
【００４４】
まず、ステップＳ１において、３Ｄコンテンツが保持する３Ｄ表示レベル情報が３Ｄ表示レベル情報格納部２ｂに入力されるのを待ち、入力されたら３Ｄ表示レベル情報内の「３Ｄ表示推奨時間」等の情報を読み込む。
【００４５】
次に、ステップＳ２において、３Ｄコンテンツを視聴するユーザが保持する３Ｄ表示視聴レベル情報が３Ｄ表示視聴レベル情報格納部３に入力されるのを待ち、入力されたら３Ｄ表示視聴レベル情報内の「３Ｄ視聴比」等の情報を読み込む。
【００４６】
続いて、ステップＳ３において、ステップＳ１で読み込んだ「３Ｄ表示推奨時間」とステップＳ２で読み込んだ「３Ｄ視聴比」との積を計算する。
【００４７】
次に、ステップＳ４において、ステップＳ３での計算結果を３Ｄ表示時間として設定する。
【００４８】
次いで、ステップＳ５では、ステップＳ４で設定された３Ｄ表示時間が、ステップＳ１で読み込んだ「３Ｄ表示制限時間」を超えるか否かを判断する。ここで、３Ｄ表示時間が「３Ｄ表示制限時間」を超える場合は、ステップＳ６に移行し、超えない場合は、処理を終了する。
【００４９】
ステップＳ６では、ステップＳ１で読み込んだ「３Ｄ表示制限時間」を３Ｄ表示時間として設定し、処理を終了する。
【００５０】
本実施の形態の携帯情報端末では、ユーザが３Ｄコンテンツを実際に視聴している時間を計測する３Ｄ視聴時間計測部６と、計測した時間に基づいて、３Ｄ表示視聴レベル情報格納部３に格納された３Ｄ表示視聴レベル情報を更新するようになっている。以下に、この処理の流れについて説明する。
【００５１】
まず、制御部８と３Ｄ視聴時間計測部６とによる３Ｄ視聴時間計測の処理の流れについて、図５に示すフローチャートを参照しながら以下に説明する。
【００５２】
まず、ステップＳ１１において、制御部８は、前述の図４に示す処理によって設定された３Ｄ表示時間が入力されるのを待ち、入力されたらステップＳ１２に移行して、３Ｄ視聴時間計測部６にユーザの３Ｄ視聴時間の計測を開始させ、ステップＳ１３において、３Ｄコンテンツを３Ｄ表示させる。
【００５３】
次いで、ステップＳ１４では、ユーザが「２Ｄ表示」ボタンを押したか否かを判断する。ここで、ユーザが「２Ｄ表示」ボタンを押して、２Ｄ表示を希望した場合は、ステップＳ１８に移行し２Ｄ表示に切り替え、そうでない場合は、ステップＳ１５に移行する。なお、上記２Ｄ表示のボタンは、例えば、図７に示すように、携帯情報端末（表示端末）の画面上に表示される。
【００５４】
続いて、ステップＳ１５において、現在の３Ｄ視聴時間が設定された３Ｄ表示時間を超えているか否かを判断する。ここで、現在の３Ｄ視聴時間が３Ｄ表示時間を超えている場合は、ステップＳ１６に移行し、そうでない場合は、ステップＳ１３に戻る。従って、現在の３Ｄ視聴時間が３Ｄ表示時間を超えるまで、ステップＳ１３〜Ｓ１５までの処理が繰り返される。
【００５５】
ステップＳ１６では、現在の３Ｄ視聴時間が視聴している３Ｄコンテンツの「３Ｄ表示制限時間」未満であるか否かを判断する。ここで、現在の３Ｄ視聴時間が「３Ｄ表示制限時間」未満である場合は、ステップＳ１７に移行し、そうでない場合は、ステップＳ１８に移行し２Ｄ表示に切り替える。
【００５６】
ステップＳ１７では、このまま３Ｄ表示を続行するかもしくは３Ｄ表示を中止するかの判断をユーザに求める。ここで、ユーザが３Ｄ表示の続行を希望した場合は、ステップＳ１３に戻り、３Ｄ表示の中止を希望した場合は、ステップＳ１８に移行する。なお、上記のユーザに対する判断は、例えば図８に示すように、携帯情報端末（表示端末）の画面上に表示される選択画面によって行なうものとする。
【００５７】
ステップＳ１８では、制御部８は、３Ｄコンテンツを２Ｄ表示するように出力部の表示制御を行なう。
【００５８】
続いて、ステップＳ１９では、図３の３Ｄ視聴時間計測部６における３Ｄ視聴時間の計測を終了する。
【００５９】
最後に、ステップＳ２０において、ユーザが当該３Ｄコンテンツを３Ｄで視聴した３Ｄ視聴時間の算出を行い、処理を終了する。
【００６０】
このようにして求めたユーザの３Ｄ視聴時間に基づいて、制御部８は、３Ｄ表示視聴レベル情報９の３Ｄ視聴時間情報３１を更新すると共に、３Ｄ視聴比情報３２を更新する。
【００６１】
次に、上記３Ｄ視聴比の更新処理の流れについて、図６に示すフローチャートを参照しながら以下に説明する。
【００６２】
まず、制御部８は、ステップＳ２１において、ユーザが３Ｄコンテンツを実際に３Ｄ表示で視聴した時間が入力されるのを待ち、入力されたらステップＳ２２に移行する。
【００６３】
ステップＳ２２では、ステップＳ２１で入力された３Ｄ視聴時間を図４のステップＳ１で読み込んだ当該３Ｄコンテンツの「３Ｄ表示推奨時間」で割り算する。
【００６４】
次いで、ステップＳ２３において、ステップＳ２２での計算結果を、「３Ｄ視聴比」として更新し、処理を終了する。
【００６５】
なお、本実施の形態では、３Ｄコンテンツを見るたびに「３Ｄ視聴比」が更新される簡単な例を示したが、過去の「３Ｄ視聴比」を保存しておくことで、それらの平均値、または分散値、または標準偏差を利用して「３Ｄ視聴比」を更新するようにしてもよい。
【００６６】
例えば３Ｄコンテンツを視聴するたびに、３Ｄ視聴比を更新していくと、３Ｄ視聴比の変動が大きくなることが考えられる。例えば、たまたま、３Ｄコンテンツを視聴した日の体調が悪かった（よかった）ために、３Ｄコンテンツの視聴時間が短くなった（長くなった）ということ等が考えられる。このような場合には、３Ｄ視聴比の変動が大きくなる。
【００６７】
そこで、上記のように、過去の３Ｄ視聴比の平均を求めて、それを３Ｄ視聴比として設定することにより、上記のような３Ｄ視聴比の変動を少なくすることができる。
【００６８】
また、過去の３Ｄ視聴比のバラツキを考慮して、３Ｄ視聴比を更新することができるので、より望ましい３Ｄ視聴比にすることが可能となる。
【００６９】
すなわち、今回１回限りの結果から３Ｄ視聴比を決定するのではなく、過去の視聴履歴から３Ｄ視聴比を決定する方がより望ましい結果を得ることができる。
【００７０】
また、図６に示すフローチャートに従って算出された「３Ｄ視聴比」がある閾値より小さい場合、もしくは現在設定されている「３Ｄ視聴比」との差がある閾値より大きい場合、３Ｄコンテンツを視聴していたユーザが３Ｄ表示を中止したのは、３Ｄコンテンツの長時間の視聴によって生じる生理的違和感が生じたためではなく、３Ｄコンテンツ自体に飽きたために、３Ｄコンテンツの視聴を中止したと考え、このような場合には「３Ｄ視聴比」の更新は行わないようにすればよい。
【００７１】
このように、３Ｄ視聴比を更新する際に、閾値を設定して更新するか否かを判断するようにすれば、ユーザが３Ｄコンテンツの長時間により生じる生理的違和感によって３Ｄ表示を中止したのか、単に３Ｄコンテンツに飽きたために３Ｄ表示を中止したのかを見極めることができ、よりユーザに適した表示制御を行なうことができる。
【００７２】
本実施の形態で説明した表示時間設定等の表示制御処理は、コンピュータ読み取り可能な記録媒体にプログラムとして記録することも可能である。
【００７３】
例えば、図９に示すように、表示時間設定のプログラムとして、３次元画像情報に付帯する付帯情報を格納する３Ｄ表示情報抽出手順１０１、表示される３次元画像を観察する観察者の個人情報を格納する３Ｄ表示観察情報抽出手順１０２、上記手順で格納された付帯情報と個人情報とに基づいて、上記観察者に適合した状態となるように３次元画像の表示状態を制御する３Ｄ表示時間設定手順１０３の各プログラムが記録された記録媒体１００が考えられる。
【００７４】
上記３Ｄ表示情報抽出手順１０１は、図４に示すステップＳ１に相当し、上記３Ｄ表示観察情報抽出手順１０２は、図４に示すステップＳ２に相当し、上記３Ｄ表示時間設定手順１０３は、図４に示すステップＳ３〜Ｓ６に相当する。
【００７５】
なお、上記の記録媒体１００においては、少なくとも、上記３Ｄ表示時間設定手順１０３が記録されていればよく、３Ｄ表示情報や３Ｄ表示観察情報は、別の記録媒体あるいは別の入力手段によって表示装置に入力されればよい。
【００７６】
本実施の形態においては、表示装置として携帯情報端末を例に説明したが、これに限定されるものではなく、３Ｄ表示が可能な表示装置であれば、何れにも適用可能である。例えば、液晶表示装置を用いたテレビや、パーソナルコンピュータに用いられる液晶モニタ等が適用可能である。
【００７７】
また、上記携帯情報端末は、上述した各手順を実行するための制御部８を備えているが、この制御部８は、プログラムの命令を実行するＣＰＵ、上記プログラムを格納したＲＯＭ、上記プログラムを展開するＲＡＭ、上記プログラムを格納するメモリを備えている。
【００７８】
そして、本発明の目的は、上述した手順を実現するソフトウエアである３Ｄ表示時間設定プログラムのプログラムコード（実行形式プログラム、中間コードプログラム、ソースプログラム）をコンピュータで読み取り可能に記録した図９に示す記録媒体１００を、上記携帯情報端末に供給し、そのコンピュータが記録媒体１００に記録されているプログラムコードを読み出し実行することによっても、達成可能である。この場合、記録媒体１００から読み出されたプログラムコード自体が上述した手順を実現することになり、そのプログラムコードを記録した記録媒体は本発明を構成することになる。
【００７９】
ここで、上記プログラムメディアとしての記録媒体１００は、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００８０】
上記構成の携帯情報端末において、具体的に３Ｄ表示時間を設定する際の処理の流れについて、以下に説明する。
【００８１】
（第１実施例）
図２に示すように、３Ｄ表示制限時間が６００秒、３Ｄ表示推奨時間が４８０秒である３ＤコンテンツＸを、図３に示すような３Ｄ視聴比が０．８であるユーザＡが視聴する場合を想定する。
【００８２】
まず、図４のステップＳ１において、制御部８は、３Ｄ表示レベル情報格納部２ｂに格納されている３ＤコンテンツＸの３Ｄ表示レベル情報１０ｂとして、３Ｄ表示制限時間（６００秒）と３Ｄ表示推奨時間（４８０秒）を読み込む。
【００８３】
次いで、ステップＳ２において、制御部８は、３Ｄ表示視聴レベル情報格納部３に格納されているユーザＡの３Ｄ表示視聴レベル情報９として、３Ｄ視聴比（０．８）を読み込む。
【００８４】
続いて、ステップＳ３において、ステップＳ１で読み込んだ３Ｄ表示推奨時間４８０秒と、ステップＳ２で読み込んだ３Ｄ視聴比０．８との積を計算する。ここで、計算すると３８４となる。
【００８５】
次いで、ステップＳ４において、ステップＳ３での計算結果を３Ｄ表示時間として設定する。従って、３Ｄ表示時間を３８４秒と設定する。
【００８６】
次に、ステップＳ５において、ステップＳ４で設定した３Ｄ表示時間３８４秒が、ステップＳ１で読み込んだ３Ｄ表示制限時間の６００秒を超えるか否かを判断する。ここでは、越えていないので、そのまま処理を終了する。
【００８７】
次に、図５に示すステップＳ１１において、制御部８は、設定された３Ｄ表示時間３８４秒が入力されると、ステップＳ１２において、ユーザＡが３ＤコンテンツＸを３Ｄ表示で視聴する時間の計測が開始され、ステップＳ１３において、３ＤコンテンツＸを３Ｄで表示する。
【００８８】
ステップＳ１４において、ユーザＡが図７で示されるような携帯情報端末の表示画面上の「２Ｄ表示」ボタンを押したか否かを判断する。ユーザＡが「２Ｄ表示」ボタンを押したことを検知した場合は、ステップＳ１８に移行し、２Ｄ表示に切り替え、そうでない場合はステップＳ１５に移行する。
【００８９】
ステップＳ１５において、現在の３Ｄ視聴時間が３Ｄ表示時間３８４秒を超えているか否かを判断する。ここで、３８４秒未満であればステップＳ１３に戻り、３８４秒以上であればステップＳ１６に移行する。
【００９０】
次に、ステップＳ１６において、現在の３Ｄ視聴時間が３Ｄ表示制限時間の６００秒を超えているか否かを判断する。ここで、６００秒未満であればステップＳ１７に移行し、６００秒に達していればステップＳ１８に移行し２Ｄ表示に切り替える。
【００９１】
ステップＳ１７では、現在の３Ｄ視聴時間は３Ｄ表示時間を超えているが、３ＤコンテンツＸの３Ｄ表示制限時間を超えていないため、このまま３Ｄ表示での視聴を続行するか否かの判断をユーザＡに求める。この時の３Ｄコンテンツの３Ｄ表示端末での画面例は、図８に示すようになる。ここで、ユーザＡが３Ｄ表示での視聴の続行を希望すればステップＳ１３に移行し、３Ｄ表示での視聴の中止を希望すればステップＳ１８に移行してさ、２Ｄ表示に切り替える。
【００９２】
ステップＳ１８では、ユーザＡが２Ｄ表示を希望した、もしくは３Ｄ視聴時間が３ＤコンテンツＸの３Ｄ表示制限時間に達していると判断されるため、３ＤコンテンツＸを２Ｄ表示に切り替えている。
【００９３】
次のステップＳ１９では、３Ｄ表示での視聴が終了したため、３Ｄ視聴時間の計測を終了する。
【００９４】
さらに、次のステップＳ２０では、ユーザＡの３ＤコンテンツＸの３Ｄ視聴時間を算出する。ここでは、３Ｄ視聴時間が３６０秒であったとする。
【００９５】
この時、図６に示すステップＳ２１において、図１の３Ｄ視聴時間計測部６で計測した３Ｄ視聴時間である３６０秒が読み込まれる。
【００９６】
ステップＳ２２において、ユーザＡの３Ｄ視聴時間の３６０秒を３ＤコンテンツＸの３Ｄ表示推奨時間の４８０秒で割り、新たな３Ｄ視聴比である０．７５を得る。
【００９７】
ステップＳ２３では、図１に示す３Ｄ表示視聴レベル情報格納部３に格納された３Ｄ視聴比の０．８を、ステップＳ２２での計算結果である０．７５に置き換える。すなわち、３Ｄ視聴比を更新し、処理を終了する。
【００９８】
（第２実施例）
次に、３Ｄ表示制限時間が６００秒、３Ｄ表示推奨時間が４８０秒である３ＤコンテンツＸを、３Ｄ視聴比が１．３であるユーザＢが視聴する場合を考える。
【００９９】
この時、前記の第１実施例と同様に図４のフローチャートに従って、ユーザＢの３Ｄ表示時間を設定する。図４のステップＳ３で３ＤコンテンツＸの３Ｄ表示推奨時間４８０秒とユーザＢの３Ｄ視聴比１．３との積を計算すると６２４秒となるが、これは、ステップＳ５において、３Ｄ表示制限時間の６００秒を越えていると判断されるため、ステップＳ６において、３Ｄ表示時間が３ＤコンテンツＸの３Ｄ表示制限時間である６００秒に設定される。
【０１００】
この時、図５の３ＤコンテンツＸの３Ｄ視聴時間の計測のフローチャートに従い、ユーザＢの３Ｄ視聴時間を計測する。
【０１０１】
ここで、３Ｄ視聴時間は、３ＤコンテンツＸの３Ｄ表示制限時間に等しくなるか、またはそれ以下の値となる。３Ｄ視聴時間が３Ｄ表示制限時間以下の値であれば、３Ｄ表示制限時間まで３Ｄ表示で視聴することが可能であったにもかかわらず、ユーザＢは２Ｄ表示を希望したということを表している。
【０１０２】
しかし、３Ｄ視聴時間が３Ｄ表示制限時間と等しい場合、ユーザＢは３Ｄコンテンツの長時間の視聴による生理的違和感が生じておらず、３ＤコンテンツＸの３Ｄ表示制限時間が許せば、さらに３Ｄ表示での視聴を希望していたことも考えられる。
【０１０３】
しかしこの場合、図６に示す３Ｄ視聴比の更新のフローチャートに従って、３Ｄ視聴比を更新すると、１．３から１．２５に小さくなってしまう。３Ｄコンテンツの長時間の視聴によって生じる生理的違和感が生じていないにもかかわらず、３Ｄ視聴比の値が小さくなることは、ユーザＢにとって好ましくない。
【０１０４】
そこで、３Ｄ視聴時間が３Ｄ表示制限時間に等しい場合、３Ｄ視聴比を更新しない。また、３Ｄ視聴比を更新するか否かの判断をユーザＢに求めてもよい。
【０１０５】
（変形実施例）
また、３Ｄコンテンツが保持する３Ｄ表示レベル情報の３Ｄ表示推奨時間が存在しない場合、３Ｄ表示制限時間とユーザが保持する３Ｄ視聴比との積を３Ｄ表示時間としてもよい。
【０１０６】
さらに、３Ｄコンテンツが保持する全ての情報は、時間情報ではなく、３段階や５段階といったレベル情報でもよい。ただしこの場合、レベル情報と当該３Ｄコンテンツの総時間を利用して、時間情報に変換するテーブルを別途用意する必要がある。
【０１０７】
以上のように、本発明の表示装置としての携帯情報端末は、３Ｄコンテンツを３Ｄ表示可能な表示装置において、上記３Ｄコンテンツを３Ｄ表示する際の表示時間に関する３Ｄ表示情報である３Ｄ表示レベル情報１０ｂと、該３Ｄコンテンツを３Ｄ表示する際に観察者が感じる生理的違和感の程度を示す３Ｄ表示観察情報である３Ｄ表示視聴レベル情報９とに基づいて、該３Ｄコンテンツの３Ｄ表示時間を設定する表示時間設定手段である制御部８が設けられている。
【０１０８】
これにより、上記制御部８によって設定された３Ｄ表示時間は、観察者であるユーザにとって生理的違和感を憶えない程度に３Ｄコンテンツを３Ｄ表示する時間となる。
【０１０９】
従って、同じ３Ｄコンテンツであっても、ユーザ毎に生理的違和感を憶えない程度に３Ｄ表示時間を設定することが可能となるので、３Ｄ表示を観察する際に生理的違和感を憶えるまでの時間が異なる全てのユーザが３Ｄコンテンツを快適に観ることができる。
【０１１０】
ところで、同じユーザであっても、３Ｄコンテンツの３Ｄ表示を長時間観察していれば疲れて来るので、最初に生理的違和感を憶えないように設定された３Ｄ表示時間であっても、生理的違和感を憶える虞がある。
【０１１１】
そこで、観察者が３Ｄコンテンツの３Ｄ表示を観察している３Ｄ観察時間を計測する３Ｄ観察時間計測手段である３Ｄ視聴時間計測部６と、計測された３Ｄ観察時間に基づいて、上記３Ｄ表示観察情報を更新する情報更新手段であるデータ書き換え部７とが設けられ、上記制御部８は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定するようにしてもよい。
【０１１２】
この場合、ユーザが実際に３Ｄコンテンツの３Ｄ表示を観察している時間によって、３Ｄ表示観察情報が更新されるので、ユーザの生理的違和感を憶えるまでの時間が変化しても、ユーザは生理的違和感を憶えないようになる。
【０１１３】
従って、３Ｄコンテンツの３Ｄ表示を観察する際に、時間の経過と共に生理的違和感を憶えるまでの時間が短くなっても、この生理的違和感を憶えるまでの時間が短縮された分を考慮して３Ｄ表示時間が設定されるようになるので、観察者は、常に、３Ｄコンテンツを快適に観ることができる。
【０１１４】
また、上記表示装置は、以下に示す構成のものであってもよい。
【０１１５】
すなわち、本発明の表示装置は、３Ｄコンテンツを３Ｄ表示可能な３Ｄ表示装置において、３Ｄコンテンツに付帯する情報から３Ｄ表示に関する３Ｄ表示情報を抽出する手段と、前記３Ｄコンテンツを視聴するユーザに付帯する情報から３Ｄ表示の視聴に関する３Ｄ表示視聴情報を抽出する手段と、前記３Ｄ表示情報と前記３Ｄ表示視聴情報から前記３Ｄコンテンツを３Ｄで表示する時間（以下、３Ｄ表示時間）を算出して設定する手段と、前記ユーザが前記３Ｄコンテンツを３Ｄ表示で視聴した時間（以下、３Ｄ視聴時間）を計測する手段と、前記３Ｄ視聴時間から前記３Ｄ表示視聴情報の更新を行う手段とを備えた構成としてもよい。
【０１１６】
また、前記３Ｄコンテンツに付帯する情報として、前記３Ｄコンテンツを３Ｄで表示する際の制限時間を示す情報（以下、３Ｄ表示制限時間）と前記３Ｄコンテンツを３Ｄで表示する際の推奨時間を示す情報（以下、３Ｄ表示推奨時間）を抽出する手段を備えた構成としてもよい。
【０１１７】
さらに、前記３Ｄコンテンツに付帯する３Ｄ表示推奨時間に対する３Ｄ視聴時間の割合（以下、３Ｄ視聴比）を算出する手段を備えた構成としてもよい。
【０１１８】
また、前記ユーザに付帯する情報として、前記ユーザの３Ｄ視聴比を抽出する手段を備えた構成としてもよい。
【０１１９】
また、前記３Ｄコンテンツに付帯する前記３Ｄ表示推奨時間と前記ユーザに付帯する前記３Ｄ視聴比との積を前記３Ｄコンテンツの３Ｄ表示時間として設定する手段を備えた構成としてもよい。
【０１２０】
さらに、前記３Ｄコンテンツに付帯する前記３Ｄ表示推奨時間と前記ユーザに付帯する前記３Ｄ視聴比との積が前記３Ｄコンテンツに付帯する前記３Ｄ表示制限時間を超える場合には、前記３Ｄ表示制限時間を前記３Ｄコンテンツの３Ｄ表示時間として設定する手段を備えた構成としてもよい。
【０１２１】
また、前記３Ｄ視聴時間が前記３Ｄ表示時間を超えた場合であっても、前記３Ｄコンテンツの前記３Ｄ表示制限時間を超えない場合、引き続き３Ｄ表示で前記３Ｄコンテンツを視聴することを可能とする手段を備えた構成としてもよい。
【０１２２】
本発明の３Ｄ表示時間を設定する方法は、前記３Ｄコンテンツに付帯する情報から３Ｄ表示に関する３Ｄ表示情報を抽出するステップと、前記３Ｄコンテンツを視聴するユーザに付帯する情報から３Ｄ表示の視聴に関する３Ｄ表示視聴情報を抽出するステップと、前記３Ｄ表示情報と前記３Ｄ表示視聴情報から３Ｄ表示時間を算出して設定するステップと、前記ユーザの前記３Ｄコンテンツの３Ｄ視聴時間を計測するステップと、前記３Ｄ視聴時間から前記３Ｄ表示視聴情報の更新を行うステップとを備えた構成であってもよい。
【０１２３】
また、前記３Ｄコンテンツに付帯する情報として、前記３Ｄ表示制限時間と前記３Ｄ表示推奨時間を抽出するステップを備えた構成であってもよい。
【０１２４】
さらに、前記３Ｄ視聴比を算出するステップを備えた構成であってもよい。
【０１２５】
また、前記ユーザに付帯する情報として、前記３Ｄ視聴比を抽出するステップを備えた構成であってもよい。
【０１２６】
また、前記３Ｄコンテンツに付帯する前記３Ｄ表示推奨時間と前記ユーザに付帯する前記３Ｄ視聴比との積を前記３Ｄコンテンツの３Ｄ表示時間として設定するステップを備えた構成であってもよい。
【０１２７】
また、前記３Ｄコンテンツに付帯する前記３Ｄ表示推奨時間と前記ユーザに付帯する前記３Ｄ視聴比との積が前記３Ｄコンテンツに付帯する前記３Ｄ表示制限時間を超える場合には、前記３Ｄ表示制限時間を前記３Ｄコンテンツの３Ｄ表示時間として設定するステップを備えた構成であってもよい。
【０１２８】
また、前記３Ｄ視聴時間が前記３Ｄ表示時間を超えた場合であっても、前記３Ｄコンテンツの前記３Ｄ表示制限時間を超えない場合、引き続き３Ｄ表示で前記３Ｄコンテンツを視聴することを可能とするステップを備えた構成であってもよい。
【０１２９】
上記課題を解決するために、３Ｄコンテンツに付帯する情報として３Ｄ表示レベル情報を持たせ、またユーザに付帯する情報として３Ｄ表示視聴レベル情報を持たせる。そして、この両情報を利用することで、３Ｄコンテンツとそれを視聴するユーザに応じた３Ｄコンテンツの３Ｄ表示時間を設定する。これにより、３Ｄ表示時間分だけ当該３Ｄコンテンツを３Ｄで表示し、３Ｄ表示時間経過後は２Ｄで表示することで、３Ｄコンテンツの長時間の視聴によって生じる生理的違和感を緩和・解消することができる。
【０１３０】
ここで、３Ｄ表示レベル情報とは、「３Ｄ表示制限時間」及び「３Ｄ表示推奨時間」の２つの時間情報であり、３Ｄコンテンツがこれらの情報を保持する。
【０１３１】
なお、「３Ｄ表示制限時間」とは、当該３Ｄコンテンツを３Ｄで表示する際の制限時間を示す。また、「３Ｄ表示推奨時間」とは、当該３Ｄコンテンツを３Ｄで表示する際の推奨時間を示す。これは、３Ｄコンテンツの長時間の視聴によって生じる生理的違和感を緩和・解消するために、当該３Ｄコンテンツがユーザに対して推奨する３Ｄ表示での視聴時間である。ただし、「３Ｄ表示推奨時間」が「３Ｄ表示制限時間」を超えることはあり得ないが、共に同じ値を持つことはあり得る。
【０１３２】
さらに、３Ｄ表示視聴レベル情報とは、「３Ｄ視聴比」の情報であり、ユーザがこの情報を保持する。なお、「３Ｄ視聴比」とは、３Ｄコンテンツが保持する「３Ｄ表示推奨時間」に対する当該３Ｄコンテンツを過去に実際に３Ｄ表示でユーザが視聴した時間の割合を示している。
【０１３３】
本発明による３Ｄ表示時間設定方法によれば、３Ｄコンテンツが保持する３Ｄ表示レベル情報とユーザが保持する３Ｄ表示視聴レベル情報を利用することで、３Ｄコンテンツ及びそれを視聴するユーザに応じて３Ｄ表示時間を設定することができる。これにより、３Ｄコンテンツに応じてユーザが３Ｄ表示時間を設定する必要がなく、またユーザに応じて３Ｄ表示時間が異なる３Ｄコンテンツを制作する必要がなく、３Ｄコンテンツの長時間の視聴によって生じる生理的違和感を緩和・解消することができる。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３５】
【発明の効果】
本発明の表示装置は、以上のように、３Ｄコンテンツを３Ｄ表示可能な表示装置において、上記３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、上記観察者用に該３Ｄコンテンツの３Ｄ表示時間を設定する表示時間設定手段が設けられている構成である。
【０１３６】
それゆえ、上記表示時間設定手段によって、３Ｄコンテンツを３Ｄ表示する際の表示時間に関する３Ｄ表示情報と、３Ｄコンテンツを３Ｄ表示する際に観察者が感じる生理的違和感の程度を示す３Ｄ表示観察情報とに基づいて、上記観察者用に該３Ｄ表示の表示対象となる３Ｄコンテンツの３Ｄ表示時間が設定されるので、観察者の生理的違和感を考慮して３Ｄコンテンツを３Ｄ表示することができる。
【０１３７】
これにより、同じ３Ｄコンテンツであっても、観察者毎に生理的違和感を憶えない程度に３Ｄ表示時間を設定することが可能となるので、３Ｄ表示を観察する際に生理的違和感を憶えるまでの時間が異なる全てのユーザが３Ｄコンテンツを快適に観ることができるという効果を奏する。
【０１３８】
また、観察者が３Ｄコンテンツの３Ｄ表示を観察している３Ｄ観察時間を計測する３Ｄ観察時間計測手段と、計測された３Ｄ観察時間に基づいて、上記３Ｄ表示観察情報を更新する情報更新手段とが設けられ、上記表示時間設定手段は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定するようにしてもよい。
【０１３９】
この場合、観察者が実際に３Ｄコンテンツの３Ｄ表示を観察している時間によって、３Ｄ表示観察情報が更新されるので、観察者の生理的違和感を憶えるまでの時間が変化しても、観察者は生理的違和感を憶えないようになる。
【０１４０】
従って、３Ｄコンテンツの３Ｄ表示を観察する際に、時間の経過と共に生理的違和感を憶えるまでの時間が短くなっても、この生理的違和感を憶えるまでの時間が短縮された分を考慮して３Ｄ表示時間が設定されるようになるので、観察者は、常に、３Ｄコンテンツを快適に観ることができるという効果を奏する。
【０１４１】
上記の３Ｄ表示時間の設定は、具体的には以下のように行なわれる。
【０１４２】
すなわち、上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積を３Ｄコンテンツの３Ｄ表示時間として設定するようにしてもよい。
【０１４３】
また、上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積が、上記制限時間を越えている場合、上記３Ｄ表示制限時間を３Ｄコンテンツの３Ｄ表示時間として設定するようにしてもよい。
【０１４４】
さらに、上記３Ｄ表示情報は、３Ｄコンテンツを３Ｄ表示する際の表示制限時間を示す３Ｄ表示制御時間情報と、該３Ｄコンテンツを３Ｄ表示した際の観察者が観察したときに生理的違和感を憶えない程度の表示時間を示す３Ｄ表示推奨時間情報とを含み、上記表示時間設定手段は、上記３Ｄ表示推奨時間に対する上記３Ｄ観察時間の割合を３Ｄ観察比として算出すると共に、この算出した３Ｄ観察比と上記３Ｄ表示推奨時間との積を３Ｄコンテンツの３Ｄ表示時間とし、上記３Ｄ観察時間が上記３Ｄ表示時間を越えた場合、上記３Ｄ表示制限時間を３Ｄ表示時間として設定するようにしてもよい。
【０１４５】
また、本発明の表示装置は、以上のように、３Ｄコンテンツを３Ｄ表示する表示装置において、上記３Ｄコンテンツを表示するのに必要な表示情報に付帯する付帯情報から３Ｄ表示に必要な３Ｄ表示情報を抽出する３Ｄ表示情報抽出手段と、上記３Ｄコンテンツを観察する観察者情報に付帯する付帯情報から３Ｄコンテンツの観察に必要な３Ｄ表示観察情報を抽出する３Ｄ表示観察情報抽出手段と、上記各手段によって抽出された３Ｄ表示情報と３Ｄ表示観察情報とに基づいて、表示対象となる３Ｄコンテンツの３Ｄ表示時間を設定する３Ｄ表示時間設定手段とを備えている構成である。
【０１４６】
それゆえ、上記表示時間設定手段によって、上記３Ｄ表示情報抽出手段により抽出された３Ｄ表示情報と、上記３Ｄ表示観察情報抽出手段により抽出された３Ｄ表示観察情報とに基づいて、３Ｄ表示の表示対象となる３Ｄコンテンツの３Ｄ表示時間が設定されるので、観察者の生理的違和感を考慮して３Ｄコンテンツを３Ｄ表示することができる。
【０１４７】
これにより、同じ３Ｄコンテンツであっても、観察者毎に生理的違和感を憶えない程度に３Ｄ表示時間を設定することが可能となるので、３Ｄ表示を観察する際に生理的違和感を憶えるまでの時間が異なる全てのユーザが３Ｄコンテンツを快適に観ることができるという効果を奏する。
【０１４８】
さらに、観察者が３Ｄコンテンツの３Ｄ表示を観察している３Ｄ観察時間を計測する３Ｄ観察時間計測手段と、計測された３Ｄ観察時間に基づいて、上記３Ｄ表示観察情報抽出手段によって抽出された３Ｄ表示観察情報を更新する情報更新手段とを有し、上記表示時間設定手段は、３Ｄコンテンツを３Ｄ表示する際の表示時間に関する３Ｄ表示情報と、上記情報更新手段によって更新された３Ｄ表示観察情報とに基づいて、３Ｄコンテンツの３Ｄ表示時間を設定するようにしてもよい。
【０１４９】
この場合、観察者が実際に３Ｄコンテンツの３Ｄ表示を観察している時間によって、３Ｄ表示観察情報が更新されるので、観察者の生理的違和感を憶えるまでの時間が変化しても、観察者は生理的違和感を憶えないようになる。
【０１５０】
従って、３Ｄコンテンツの３Ｄ表示を観察する際に、時間の経過と共に生理的違和感を憶えるまでの時間が短くなっても、この生理的違和感を憶えるまでの時間が短縮された分を考慮して３Ｄ表示時間が設定されるようになるので、観察者は、常に、３Ｄコンテンツを快適に観ることができるという効果を奏する。
【０１５１】
本発明の３Ｄ表示時間設定方法は、以上のように、３Ｄコンテンツの３Ｄ表示時間を設定する３Ｄ表示時間設定方法において、上記３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、該３Ｄコンテンツの３Ｄ表示時間を設定する構成である。
【０１５２】
また、コンピュータに、３Ｄコンテンツを３Ｄ表示する際の表示時間に関する３Ｄ表示情報と、該３Ｄコンテンツを３Ｄ表示する際に観察者が感じる生理的違和感の程度を示す３Ｄ表示観察情報とに基づいて、該３Ｄコンテンツの３Ｄ表示時間を設定する手順を実行させるプログラムとしてもよい。
【０１５３】
これにより、上記手順の３Ｄ表示時間設定プログラムをコンピュータによって実行させれば、特定の表示装置ではなく、不特定の３Ｄ表示可能な表示装置に対しても３Ｄ表示時間を設定させることが可能となる。
【０１５４】
しかも、上記の３Ｄ表示時間設定プログラムをコンピュータ読み取り可能な記録媒体に記録すれば、表示装置毎に３Ｄ表示時間設定プログラムを記憶しておく必要はなくなるので、表示装置は３Ｄ表示時間設定プログラムを実行できる程度に簡素化することができ、３Ｄ表示時間設定プログラムの汎用性を高めることができるという効果を奏する。
【図面の簡単な説明】
【図１】本発明の一実施の形態にかかる表示装置の概略ブロック図である。
【図２】３Ｄ表示レベル情報の一例を示す図である。
【図３】３Ｄ表示視聴レベル情報の一例を示す図である。
【図４】図１に示す表示装置における３Ｄコンテンツの３Ｄ表示時間を設定する処理の流れを示すフローチャートである。
【図５】図１に示す表示装置における３Ｄコンテンツのユーザの視聴時間を設定する処理の流れを示すフローチャートである。
【図６】図１に示す表示装置における３Ｄコンテンツのユーザの３Ｄ視聴比を更新する処理の流れを示すフローチャートである。
【図７】本発明の表示装置の一例である携帯情報端末における表示例を示す図である。
【図８】本発明の表示装置の一例である携帯情報端末における表示例を示す図である。
【図９】本発明の３Ｄ表示時間設定プログラムを記録した記録媒体の一例を示す図である。
【符号の説明】
１    受信部
２    画像情報格納部
２ａ  ３Ｄコンテンツ格納部
２ｂ  ３Ｄ表示レベル情報格納部
３  ３Ｄ表示視聴レベル情報格納部
４    出力部
５    入力部
６    ３Ｄ視聴時間計測部（３Ｄ観察時間計測手段）
７    データ書き換え部（情報更新手段）
８    制御部（表示時間設定手段）
９    ３Ｄ表示視聴レベル情報
１０    ３次元画像表示情報
１０ａ  ３Ｄコンテンツ情報
１０ｂ  ３Ｄ表示レベル情報（付帯情報、表示情報）
２１    ３Ｄ表示制限時間情報
２２    ３Ｄ表示推奨時間情報
３１    ３Ｄ視聴時間情報
３２    ３Ｄ視聴比情報
１００  記録媒体
１０１  ３Ｄ表示情報抽出手順
１０２  ３Ｄ表示観察情報抽出手順
１０３  ３Ｄ表示時間設定手順１
【図１】
2004248106.tif 000003
【図２】
2004248106.tif 000004
【図３】
2004248106.tif 000005
【図４】
2004248106.tif 000006
【図５】
2004248106.tif 000007
【図６】
2004248106.tif 000008
【図７】
2004248106.tif 000009
【図８】
2004248106.tif 000010
【図９】
2004248106.tif 000011